(57)【要約】【課題】作業者の身体から延びる安全帯のフック付き係止具が手摺から脱落することを防止した緊結足場用の安全手摺を提供する。【解決手段】撓曲可能な金属パイプ製の水平材(2)の撓曲可能領域の両端に形成した板状部(4a)にブラケット(5)の嵌入片(5a)を嵌入固着することにより連結部(4)を構成し、ブラケットに設けた係脱固着手段(6)を足場の支柱(1)に固定し、水平材の両端に凹入空間(20)が形成された状態で、水平材に作業者の身体から延びる安全帯のフック付き係止具(11)を摺動自在に係止することにより高所作業を行う構成において、前記板状部に隣接する水平材の被着管部(2b)に短管(25)又は門形金具(26)を固着することにより剛性部(G)を構成し、該短管又は門形金具の端部(25a)(26c)により水平材に沿って摺動するフック付き係止具(11)を受止める係止手段(22)を形成している。【選択図】図８
2019167815.tif 000002
【特許請求の範囲】
【請求項１】
緊結式足場の隣り合う一対の支柱(1)(1)の間に配置される撓曲可能な金属パイプ製の水平材(2)と、該水平材の撓曲可能領域(F)の両端に形成した連結部(4)に固着された下向きのブラケット(5)と、該ブラケットに設けられた係脱固着手段(6)を備える安全手摺であり、
前記係脱固着手段(6)を前記支柱(1)の固定手段(9)に着脱自在に固定することにより前記安全手摺を足場に取付け、前記水平材(2)からブラケット(5)を介して係脱固着手段(6)に向かう凹入空間(20)が形成された状態で、前記安全手摺の水平材(2)に作業者の身体から延びる安全帯のフック付き係止具(11)を摺動自在に係止することにより高所作業を行う構成において、
前記金属パイプ製の水平材は、両端部に左右から押圧変形された板状部(4a)を形成し、前記ブラケット(5)に延設した嵌入片(5a)を前記板状部に嵌入固着することにより前記連結部(4)を構成し、
更に、前記板状部(4a)に隣接する水平材の被着管部(2b)に短管(25)を外挿固着することにより、前記連結部(4)と、ブラケット(5)と、被着管部(2b)と、該被着管部に連なる隣接管部(2c)とを含む領域により前記撓曲可能領域(F)よりも高剛性とされた剛性部(G)を構成しており、
前記水平材に沿って摺動するフック付き係止具(11)を受止める係止手段(22)を前記連結部(4)の反対側に臨む前記短管(25)の端部(25a)により形成して成ることを特徴とする緊結式足場における安全手摺。
【請求項２】
緊結式足場の隣り合う一対の支柱(1)(1)の間に配置される撓曲可能な金属パイプ製の水平材(2)と、該水平材の撓曲可能領域(F)の両端に形成した連結部(4)に固着された下向きのブラケット(5)と、該ブラケットに設けられた係脱固着手段(6)を備える安全手摺であり、
前記係脱固着手段(6)を前記支柱(1)の固定手段(9)に着脱自在に固定することにより前記安全手摺を足場に取付け、前記水平材(2)からブラケット(5)を介して係脱固着手段(6)に向かう凹入空間(20)が形成された状態で、前記安全手摺の水平材(2)に作業者の身体から延びる安全帯のフック付き係止具(11)を摺動自在に係止することにより高所作業を行う構成において、
前記金属パイプ製の水平材は、両端部に左右から押圧変形された板状部(4a)を形成し、前記ブラケット(5)に延設した嵌入片(5a)を前記板状部に嵌入固着することにより前記連結部(4)を構成し、
更に、前記板状部(4a)に隣接する水平材の被着管部(2b)に金具(26)を固着し、該金具の上壁(26a)から垂設された側壁(26b)を前記被着管部に固着することにより、前記連結部(4)と、ブラケット(5)と、被着管部(2b)と、該被着管部に連なる隣接管部(2c)とを含む領域により前記撓曲可能領域(F)よりも高剛性とされた剛性部(G)を構成しており、
前記水平材に沿って摺動するフック付き係止具(11)を受止める係止手段(22)を前記連結部(4)の反対側に臨む前記金具(26)の端部(26c)により形成して成ることを特徴とする緊結式足場における安全手摺。
【請求項３】
緊結式足場の隣り合う一対の支柱(1)(1)の間に配置される撓曲可能な金属パイプ製の水平材(2)と、該水平材の下方で相互に交差する一対の斜材(3)(3)により構成された安全手摺であり、
前記水平材の撓曲可能領域(F)の両端に形成した連結部(4)に下向きのブラケット(5)を固着し、一対の斜材(3)の上端に設けた係脱固着手段(6)をそれぞれ前記ブラケットの下向き延長端(5b)に枢結しており、一対の斜材の係脱固着手段(6)の下向き挿入片(6b)を一対の支柱(1)の固定手段(9)の楔孔(9a)に挿入固定することにより前記安全手摺を足場に取付け、
前記水平材(2)の両端からブラケット(5)を介して係脱固着手段(6)に向かう凹入空間(20)が形成された状態で、前記安全手摺の水平材(2)に作業者の身体から延びる安全帯のフック付き係止具(11)を摺動自在に係止することにより高所作業を行う構成において、
前記金属パイプ製の水平材は、両端部に左右から押圧変形された板状部(4a)を形成し、前記ブラケット(5)に延設した嵌入片(5a)を前記板状部に嵌入固着することにより前記連結部(4)を構成し、
更に、前記板状部(4a)に隣接する水平材の被着管部(2b)に短管(25)を外挿固着することにより、前記連結部(4)と、ブラケット(5)と、被着管部(2b)と、該被着管部に連なる隣接管部(2c)とを含む領域により前記撓曲可能領域(F)よりも高剛性とされた剛性部(G)を構成しており、
前記水平材に沿って摺動するフック付き係止具(11)を受止める係止手段(22)を前記連結部(4)の反対側に臨む前記短管(25)の端部(25a)により形成して成ることを特徴とする緊結式足場における安全手摺。
【請求項４】
緊結式足場の隣り合う一対の支柱(1)(1)の間に配置される撓曲可能な金属パイプ製の水平材(2)と、該水平材の下方で相互に交差する一対の斜材(3)(3)により構成された安全手摺であり、
前記水平材の撓曲可能領域(F)の両端に形成した連結部(4)に下向きのブラケット(5)を固着し、一対の斜材(3)の上端に設けた係脱固着手段(6)をそれぞれ前記ブラケットの下向き延長端(5b)に枢結しており、一対の斜材の係脱固着手段(6)の下向き挿入片(6b)を一対の支柱(1)の固定手段(9)の楔孔(9a)に挿入固定することにより前記安全手摺を足場に取付け、
前記水平材(2)の両端からブラケット(5)を介して係脱固着手段(6)に向かう凹入空間(20)が形成された状態で、前記安全手摺の水平材(2)に作業者の身体から延びる安全帯のフック付き係止具(11)を摺動自在に係止することにより高所作業を行う構成において、
前記金属パイプ製の水平材は、両端部に左右から押圧変形された板状部(4a)を形成し、前記ブラケット(5)に延設した嵌入片(5a)を前記板状部に嵌入固着することにより前記連結部(4)を構成し、
更に、前記板状部(4a)に隣接する水平材の被着管部(2b)に金具(26)を固着し、該金具の上壁(26a)から垂設された側壁(26b)を前記被着管部に固着することにより、前記連結部(4)と、ブラケット(5)と、被着管部(2b)と、該被着管部に連なる隣接管部(2c)とを含む領域により前記撓曲可能領域(F)よりも高剛性とされた剛性部(G)を構成しており、
前記水平材に沿って摺動するフック付き係止具(11)を受止める係止手段(22)を前記連結部(4)の反対側に臨む前記金具(26)の端部(26c)により形成して成ることを特徴とする緊結式足場における安全手摺。
【発明の詳細な説明】
【技術分野】
【０００１】
本発明は、緊結式足場における先行手摺等の安全手摺に関し、作業者の身体から延びる安全帯のフック付き係止具が手摺から脱落することを防止したものに関する。
【背景技術】
【０００２】
従来、建設現場等における仮設足場の構築に関して、作業者の安全のため、手摺先行工法が推奨されており、上層作業床を設置する前に下層作業床から作業安全のための先行手摺が設置される。この際、上層作業床の設置作業に際し、作業者は、身体から延びる安全帯のフック付き係止具を先行手摺に係止し、万一、足を滑らせる等により作業床から落下した際の安全を確保している。
【０００３】
フック付き係止具は、ワンタッチの係脱操作を可能とする開閉機構を備えており、作業者の移動を可能とするため、先行手摺の水平材に係止した状態で摺動自在とされている。従って、安全帯のフック付き係止具が先行手摺の水平材に係止されている限り、作業者の安全が確保できる。
【０００４】
ところで、作業者の落下時に係止具が先行手摺から外れるおそれがないとする保証はないから、この点の安全対策が重要であり、このため、本出願人は、特許文献１及び２に示すような枠組み足場における先行手摺の安全装置を提案したところである。
【先行技術文献】
【特許文献】
【０００５】
【特許文献１】特開２０１５−６８１４５公報
【特許文献２】特開２０１５−６８１４６公報
【発明の概要】
【発明が解決しようとする課題】
【０００６】
しかしながら、枠組み足場とは異なる楔緊結式等の緊結式足場に使用される先行手摺の場合は、手摺の水平材に沿ってフック付き係止具を摺動させながら作業中の作業者が誤って作業床から落下したとき、上記の特許文献で説明した枠組み足場の場合とは顕著に相違する特有の現象を生起する。
【０００７】
このため、枠組み足場における先行手摺の場合とは異なる視点から緊結式足場の先行手摺に特有の問題を究明し、新たに工夫した安全装置を提供する必要がある。
【課題を解決するための手段】
【０００８】
本発明は、緊結式足場の先行手摺に特有の問題を探求した結果、フック付き係止具の離脱等を最も効果的に防止可能とした手摺を提供するものであり、その第１の手段として構成したところは、緊結式足場の隣り合う一対の支柱の間に配置される撓曲可能な金属パイプ製の水平材と、該水平材の撓曲可能領域の両端に形成した連結部に固着された下向きのブラケットと、該ブラケットに設けられた係脱固着手段を備える安全手摺であり、前記係脱固着手段を前記支柱の固定手段に着脱自在に固定することにより前記安全手摺を足場に取付け、前記水平材からブラケットを介して係脱固着手段に向かう凹入空間が形成された状態で、前記安全手摺の水平材に作業者の身体から延びる安全帯のフック付き係止具を摺動自在に係止することにより高所作業を行う構成において、前記金属パイプ製の水平材は、両端部に左右から押圧変形された板状部を形成し、前記ブラケットに延設した嵌入片を前記板状部に嵌入固着することにより前記連結部を構成し、更に、前記板状部に隣接する水平材の被着管部に短管を外挿固着することにより、前記連結部と、ブラケットと、被着管部と、該被着管部に連なる隣接管部とを含む領域により前記撓曲可能領域よりも高剛性とされた剛性部を構成しており、前記水平材に沿って摺動するフック付き係止具を受止める係止手段を前記連結部の反対側に臨む前記短管の端部により形成した点にある。
【０００９】
また、本発明が第２の手段として構成したところは、緊結式足場の隣り合う一対の支柱の間に配置される撓曲可能な金属パイプ製の水平材と、該水平材の撓曲可能領域の両端に形成した連結部に固着された下向きのブラケットと、該ブラケットに設けられた係脱固着手段を備える安全手摺であり、前記係脱固着手段を前記支柱の固定手段に着脱自在に固定することにより前記安全手摺を足場に取付け、前記水平材からブラケットを介して係脱固着手段に向かう凹入空間が形成された状態で、前記安全手摺の水平材に作業者の身体から延びる安全帯のフック付き係止具を摺動自在に係止することにより高所作業を行う構成において、前記金属パイプ製の水平材は、両端部に左右から押圧変形された板状部を形成し、前記ブラケットに延設した嵌入片を前記板状部に嵌入固着することにより前記連結部を構成し、更に、前記板状部に隣接する水平材の被着管部に金具を固着し、該金具の上壁から垂設された側壁を前記被着管部に固着することにより、前記連結部と、ブラケットと、被着管部と、該被着管部に連なる隣接管部とを含む領域により前記撓曲可能領域よりも高剛性とされた剛性部を構成しており、前記水平材に沿って摺動するフック付き係止具を受止める係止手段を前記連結部の反対側に臨む前記金具の端部により形成した点にある。
【００１０】
そして、本発明が第３の手段として構成したところは、緊結式足場の隣り合う一対の支柱の間に配置される撓曲可能な金属パイプ製の水平材と、該水平材の下方で相互に交差する一対の斜材により構成された安全手摺であり、前記水平材の撓曲可能領域の両端に形成した連結部に下向きのブラケットを固着し、一対の斜材の上端に設けた係脱固着手段をそれぞれ前記ブラケットの下向き延長端に枢結しており、一対の斜材の係脱固着手段の下向き挿入片を一対の支柱の固定手段の楔孔に挿入固定することにより前記安全手摺を足場に取付け、前記水平材の両端からブラケットを介して係脱固着手段に向かう凹入空間が形成された状態で、前記安全手摺の水平材に作業者の身体から延びる安全帯のフック付き係止具を摺動自在に係止することにより高所作業を行う構成において、前記金属パイプ製の水平材は、両端部に左右から押圧変形された板状部を形成し、前記ブラケットに延設した嵌入片を前記板状部に嵌入固着することにより前記連結部を構成し、更に、前記板状部に隣接する水平材の被着管部に短管を外挿固着することにより、前記連結部と、ブラケットと、被着管部と、該被着管部に連なる隣接管部とを含む領域により前記撓曲可能領域よりも高剛性とされた剛性部を構成しており、前記水平材に沿って摺動するフック付き係止具を受止める係止手段を前記連結部の反対側に臨む前記短管の端部により形成した点にある。
【００１１】
更に、本発明が第４の手段として構成したところは、緊結式足場の隣り合う一対の支柱の間に配置される撓曲可能な金属パイプ製の水平材と、該水平材の下方で相互に交差する一対の斜材により構成された安全手摺であり、前記水平材の撓曲可能領域の両端に形成した連結部に下向きのブラケットを固着し、一対の斜材の上端に設けた係脱固着手段をそれぞれ前記ブラケットの下向き延長端に枢結しており、一対の斜材の係脱固着手段の下向き挿入片を一対の支柱の固定手段の楔孔に挿入固定することにより前記安全手摺を足場に取付け、前記水平材の両端からブラケットを介して係脱固着手段に向かう凹入空間が形成された状態で、前記安全手摺の水平材に作業者の身体から延びる安全帯のフック付き係止具を摺動自在に係止することにより高所作業を行う構成において、前記金属パイプ製の水平材は、両端部に左右から押圧変形された板状部を形成し、前記ブラケットに延設した嵌入片を前記板状部に嵌入固着することにより前記連結部を構成し、更に、前記板状部に隣接する水平材の被着管部に金具を固着し、該金具の上壁から垂設された側壁を前記被着管部に固着することにより、前記連結部と、ブラケットと、被着管部と、該被着管部に連なる隣接管部とを含む領域により前記撓曲可能領域よりも高剛性とされた剛性部を構成しており、前記水平材に沿って摺動するフック付き係止具を受止める係止手段を前記連結部の反対側に臨む前記金具の端部により形成した点にある。
【発明の効果】
【００１２】
本発明によれば、緊結式足場に使用される安全手摺において、水平材２の両端に位置する連結部４とブラケット５を含む剛性部Ｇに位置して、水平材２を摺動するフック付き係止具１１を受止める係止手段２２を設けているので、下向きブラケット５により形成された凹入空間２０にフック付き係止具１１が落ち込むことはなく、従って、従来技術のように、作業中の作業者は、凹入空間２０に落ち込んだフック付き係止具１１を水平材２に向けて戻さなければならないという煩雑な作業から解放される。
【００１３】
そして、フック付き係止具１１を水平材２に摺動自在に係止させた状態で、万一、作業者が手摺の外部空間に転落したときは、緊張させられる親綱により水平材２に沿って摺動させられるフック付き係止具１１を剛性部Ｇの上で係止手段２２により受止めるので、転落した作業者を吊持状態で安全に保護することができるという効果がある。
【００１４】
この際、請求項１及び３に記載の本発明によれば、連結部４の板状部４ａに隣接する水平材２の被着管部２ｂに短管２５を外挿し溶接等で固着することにより、該被着管部２ｂを強化すると共に、該被着管部２ｂに連なる隣接管部２ｃを撓曲困難として高剛性を保持させるので、該隣接管部２ｃを含んで剛性部Ｇを構成することができる。
【００１５】
そして、前記連結部４の反対側に臨む前記短管２５の端部２５ａにより係止手段２２を形成しているので、水平材２を摺動するフック付き係止具１１を前記端部２５ａにより受止め、剛性部Ｇを構成する前記隣接管部２ｃの上で停止させることが可能になる。
【００１６】
また、請求項２及び４に記載の本発明によれば、連結部４を構成する板状部４ａに隣接する水平材２の被着管部２ｂに門形金具２６の側壁２６ｂを溶接等で固着することにより、該被着管部２ｂを強化すると共に、該被着管部２ｂに連なる隣接管部２ｃを撓曲困難として高剛性を保持させるので、該隣接管部２ｃを含んで剛性部Ｇを構成することができる。
【００１７】
そして、前記連結部４の反対側に臨む前記門形金具２６の端部２６ｃにより係止手段２２を形成しているので、水平材２を摺動するフック付き係止具１１を前記端部２６ｃにより受止め、剛性部Ｇを構成する前記隣接管部２ｃの上で停止させることが可能になる。
【図面の簡単な説明】
【００１８】
【図１】従来の緊結式足場における先行手摺の１例を示す正面図である。
【図２】斜材の係脱固着手段を支柱のフランジ式固定手段に固着する方法を示しており、（Ａ）は固着前の状態を示す正面図、（Ｂ）は固着後の状態を示す正面図である。
【図３】緊結式足場に取付けられた先行手摺とフック付き係止具の関係を示す斜視図である。
【図４】一般的なフック付き係止具に関して、（Ａ）は開閉機構を閉止した状態の正面図、（Ｂ）は開閉機構を開放した状態の正面図である。
【図５】従来技術の問題を示しており、フック付き係止具が凹入空間に落ち込んだ状態で作業者が手摺の外部空間に転落したときの状態を示す斜視図である。
【図６】従来技術の水平材に突起を設けた比較例を示しており、フック付き係止具が突起に当接した状態で作業者が手摺の外部空間に転落したときの状態を示す斜視図である。
【図７】従来技術の問題を解決するために本発明が知見した手摺の剛性構造を示しており、（Ａ）は正面図、（Ｂ）は平面図である。
【図８】本発明の第１実施形態を示しており、（Ａ）は正面図、（Ｂ）は斜視図である。
【図９】本発明の第２実施形態を示しており、（Ａ）は正面図、（Ｂ）は斜視図である。
【発明を実施するための形態】
【００１９】
（従来技術と問題点の解明）
本発明の実施形態を説明する前に、従来の緊結式足場における先行手摺とその問題点を図面に基づいて説明する。
【００２０】
図１ないし図６に示すように、従来の緊結式足場において使用される先行手摺（以下、単に「手摺」という。）は、足場の隣り合う一対の支柱１、１の間に配置される撓曲可能な金属パイプ製の水平材２と、該水平材２の下方で相互に交差する一対の斜材３、３により構成されている。
【００２１】
前記水平材２は、両端に連結部４を介して金属板製とされた下向きのブラケット５を固着している。連結部４は、水平材２を構成する金属パイプの両端部を左右から押圧変形することにより形成された板状部４ａと、ブラケット５を構成する金属板に延設された嵌入片５ａとから成り、前記嵌入片５ａを前記板状部４ａに嵌入すると共に、溶接等で固着することにより構成されている。
【００２２】
前記斜材３、３は、上端に係脱固着手段６を設け、下端に楔付きの緊結手段７を設けており、前記係脱固着手段６を水平材２の前記ブラケット５の下向き延長端５ｂにボルト・ナット等の軸手段８を介して枢結し、前記軸手段８を超えて延長された係脱固着手段６の顎部６ａにピン等の下向き挿入片６ｂを設けている。
【００２３】
そこで、手摺は、足場における支柱１の上下方向に間隔をあけて固設されたフランジ式の固定手段に９に取付けられる。一対の支柱１、１の間に水平材２を配置した状態で、図２（Ａ）に示すように、前記軸手段８から斜材３を垂下させ、係脱固着手段６を上向きとして固定手段９の上方に臨ませた状態から、図２（Ｂ）に示すように、前記斜材３を回動させ、係脱固着手段６の挿入片６ａを固定手段９の楔孔９ａに嵌入し、これにより、斜材３の係脱固着手段６が支柱１の固定手段９に固着されると共に水平材２の両端のブラケット５が固定される。この際、交差状態とされた一対の斜材３、３の下端部は、緊結手段７を介して支柱１の下方に固設された別のフランジ式の固定手段９に固着される。
【００２４】
作業者が足場の作業床上で作業を行う際、作業者は、腰ベルト等の身体着用物から延びる親綱１０の先端にフック付き係止具１１を設けた安全帯を備えており、前記係止具１１を手摺の水平材２に摺動自在に係止することにより安全を確保する。
【００２５】
図４に示すように、フック付き係止具１１は、金属板から成るフック部材１２の尾端部に前記親綱１０を結合するためのリング部１３を設けると共に、フック部材１２のフック開口を開閉する開閉アーム１４を備えた開閉機構を設けている。開閉アーム１４は、枢軸１５を支点として回動自在とされ、スプリング１６により、フック開口の内側から外側に向けて図示の反時計針方向に回動付勢され、該開閉アーム１４の先端の当接部１４ａをフック部材１２の先端の爪部１２ａに当接する。安全のため、開閉アーム１４の反対側にロックアーム１７が設けられている。ロックアーム１７は、枢軸１８を支点として回動自在とされ、スプリング１９により、開閉アーム１４のロック爪１４ｂに向けて図示の時計針方向に回動付勢され、該ロックアーム１７に設けたロックピン１７ａをフック部材１２の背縁部に当接する。
【００２６】
従って、図４（Ａ）に示すように、開閉アーム１４が当接部１４ａを爪部１２ａに当接することによりフック開口を閉止した状態で、該開閉アーム１４のロック爪１４ｂが前記ロックピン１７ａに係止しており、従って、開閉アーム１４は、フック開口を開放する方向（図示の時計針方向）への回動を阻止されている。
【００２７】
フック付き係止具１１は、作業者が開閉アーム１４とロックアーム１７を手の中に入れ、両アームを握りしめると、図４（Ｂ）に示すように、フック開口が開放される。握りしめたとき、ロックアーム１７がスプリング１９に抗して図示の反時計針方向に回動することにより、ロックピン１７ａをロック爪１４ｂから離脱し、開閉アーム１４を図示の時計針方向に回動させ、当接部１４ａを爪部１２ａから離反させることにより、フック開口を開放する。
【００２８】
従って、作業者は、フック付き係止具１１の両アーム１４、１７を握りしめることにより、開放されたフック部材１２を先行手摺３の横枠４に係止し、両アーム１４、１７から手を離すことにより、横枠４を係止した状態でフック開口を閉止することができ、係脱操作をワンタッチで行うことができる。
【００２９】
フック付き係止具１１は、手摺の水平材２に沿って摺動自在であり、従って、作業者は、親綱１０の長さの範囲とフック付き係止具１１の摺動範囲において移動可能である。
【００３０】
ところで、緊結式足場に取付けられた手摺の水平材２は、上述のように水平材２の両端に下向きのブラケット５を設けているため、図２（Ｂ）及び図３に示すように、手摺の両端部には、水平材２からブラケット５を介して係脱固着手段６に向かう凹入空間２０が形成されている。
【００３１】
このため、作業者が作業床上を往来するとき、図３に示すように、フック付き係止具１１は、親綱１０に引っ張られながら水平材２に沿って摺動し、実線で示す位置から、水平材２の端部に移動すると、鎖線で示すように、凹入空間２０に落ち込む可能性がある。
【００３２】
しかしながら、凹入空間２０に落ち込んだフック付き係止具１１は、図示のように、横向き姿勢の状態でブラケット５と斜材３の上端部との間に挟まれ、掴持されるので、作業者が親綱１０を引っ張るだけでは、フック付き係止具１１を元の位置（実線で示す位置）に戻すことが困難である。その結果、フック付き係止具１１を水平材２に沿って摺動自在とする元の位置に戻すためには、作業者が手作業により係止具１１の姿勢を起こし、水平材２に向けて移動させなければならないという煩雑がある。
【００３３】
そして、万一、フック付き係止具１１が凹入空間２０に落ち込んだ状態で、作業者が手摺の外部空間に転落すると、図５に矢印ＴＷで示すように、係止具１１の一部が前記ブラケット５と斜材３の上端部との間に挟まれた状態で捻じられるおそれがある。フック付き係止具１１のフック部材１２は、捻じり方向に弱く、容易に変形するので、開閉アーム１４から離脱してフック開口を開放することにより手摺から離脱するおそれがあり、作業者の安全を確保することができないという問題がある。
【００３４】
そこで、上記問題を解決するためには、図６に示す比較例のように、水平材２の端部近傍部に突起２１を設け、フック付き係止具１１が前記凹入空間２０に向けて摺動することを阻止するように構成すれば良いと考えられる。
【００３５】
しかしながら、この比較例の場合は、万一、フック付き係止具１１が突起２１に当接した状態で、作業者が手摺の外部空間に転落すると、図示のように、剛性の低い撓曲可能な金属パイプから成る水平材２が湾曲変形する可能性がある。このような水平材２の湾曲は、該水平材２とブラケット５の間の連結部４に歪を発生し、該連結部４の板状部４ａと嵌入片５ａを分断するおそれがあり、作業者の安全を確保できない。
【００３６】
（本発明の基本的構成）
本発明は、フック付き係止具１１を摺動自在に係止する水平材２の剛性構造を鋭意探求することにより、上記問題を解決することができることを知得した。
【００３７】
図７に示すように、水平材２は、前記金属パイプにより形成された丸パイプ形状を保持する撓曲可能領域Ｆの両端に前記板状部４ａを含む連結部４を配置し、該連結部４から金属板製の前記ブラケット５を延長している。従って、水平材２は、上下方向に大荷重を受けたとき、前記撓曲可能領域Ｆが容易に湾曲変形するおそれがあるのに対して、前記金属板製のブラケット５と、板状部４ａ及び嵌入片５ａから成る連結部４は、撓曲困難となるように形成され、高剛性を保持する剛性部Ｇを構成している。
【００３８】
従って、フック付き係止具１１が前記剛性部Ｇに位置して受止められるように構成すれば、該係止具１１を介して上下方向に大荷重が作用しても、剛性部Ｇは容易に変形することがなく、好適に荷重を支持することができる。
【００３９】
そこで、本発明は、上記のような剛性部Ｇにフック付き係止具１１を受止める係止手段２２（図８ないし図１１）を設けたことを特徴とする。
【００４０】
一般的に、作業者が手摺の外部空間に転落するときは、通常、手摺の一部に手を掛けながら姿勢を崩した状態で転落し、その際、親綱１０が弛緩状態から瞬時に緊張されるので、フック付き係止具１１は、前記撓曲可能領域Ｆに停止することはなく、水平材２の両端の何れか一方に向けて摺動させられる。このため、剛性部Ｇに係止手段２２を設けることにより、摺動するフック付き係止具１１を剛性部Ｇの上で受け止めることができる。そして、剛性部Ｇは、親綱１０を介してフック付き係止具１１に大荷重が作用する場合でも、該荷重を支持することができるので、転落した作業者を吊持状態で安全に保護することが可能になる。
【００４１】
しかも、前記剛性部Ｇに係止手段２２を設けることにより、フック付き係止具１１は、常に水平材２に摺動可能な状態で係止させられ、凹入空間２０に落ち込むことはない。従って、作業中の作業者は、凹入空間２０に落ち込んだフック付き係止具１１を水平材２に向けて戻さなければならないという煩雑な作業から解放される。
【００４２】
（第１実施形態）
図８は、本発明の第１実施形態を示しており、金属パイプ製の水平材２は、従来技術と同様に、両端部に左右から押圧変形された板状部４ａを形成し、ブラケット５に延設した嵌入片５ａを前記板状部４ａに嵌入し溶接等で固着することにより前記連結部４を構成しており、更に、前記板状部４ａに隣接する水平材２の被着管部２ｂに短管２５を外挿し溶接等で固着することにより、該被着管部２ｂを強化している。
【００４３】
この際、強化された被着管部２ｂは、短管２５から撓曲可能領域Ｆに向けて連なる隣接管部２ｃにおいても撓曲困難な高剛性のものとされるので、前記ブラケット５と、連結部４と、短管２５により強化された被着管部２ｂと、前記隣接管部２ｃとを含む領域により剛性部Ｇが構成される。
【００４４】
そこで、前記連結部４の反対側に臨む前記短管２５の端部２５ａにより、水平材２の上端よりもＨ３で示すように上方に突出する係止手段２２が形成されている。
【００４５】
このため、水平材２を摺動するフック付き係止具１１は、短管２５の端部２５ａにより受止められ、剛性部Ｇを構成する前記隣接管部２ｃの上で停止することが可能となる。
【００４６】
（第２実施形態）
図９は、本発明の第２実施形態を示しており、金属パイプ製の水平材２は、従来技術と同様に、両端部に左右から押圧変形された板状部４ａを形成し、ブラケット５に延設した嵌入片５ａを前記板状部４ａに嵌入し溶接等で固着することにより前記連結部４を構成しており、更に、前記板状部４ａに隣接する水平材２の被着管部２ｂに門形金具２６を固着し、該門形金具２６の上壁２６ａから垂設された一対の側壁２６ｂを前記被着管部２ｂに挟着状態として溶接等で固着することにより強化している。
【００４７】
この際、強化された被着管部２ｂは、門形金具２６から撓曲可能領域Ｆに向けて連なる隣接管部２ｃにおいても撓曲困難な高剛性のものとされるので、前記ブラケット５と、連結部４と、門形金具２６により強化された被着管部２ｂと、前記隣接管部２ｃを含む領域により剛性部Ｇが構成される。
【００４８】
そこで、前記連結部４の反対側に臨む前記門形金具２６の端部２６ｃにより、水平材２の上端よりもＨ４で示すように上方に突出する係止手段２２が形成されている。
【００４９】
このため、水平材２を摺動するフック付き係止具１１は、門形金具２６の端部２６ｃにより受止められ、剛性部Ｇを構成する前記隣接管部２ｃの上で停止することが可能となる。
【００５０】
（手摺の種類）
以上、先行手摺について説明したが、本発明の手摺は、必ずしも先行手摺に限定されるものではなく、緊結式足場において安全目的で取付けられる種々の手摺を広く包含するものであることを理解されたい。
【符号の説明】
【００５１】
１  支柱
２  水平材
２ａ  端部
２ｂ  被着管部
２ｃ  隣接管部
Ｆ  撓曲可能領域
Ｇ  剛性部
３  斜材
４、４Ａ  連結部
４ａ  板状部
５  ブラケット
５ａ  嵌入片
５ｂ  下向き延長端
６  係脱固着手段
６ａ  顎部
６ｂ  挿入片
７  緊結手段
８  軸手段
９  固定手段
９ａ  楔孔
１０  親綱
１１  フック付き係止具
１２  フック部
１３  リング部
１４  開閉アーム
１５  枢軸
１６  スプリング
１７  ロックアーム
１８  枢軸
１９  スプリング
２０  凹入空間
２１  突起
２２  係止手段
２５  短管
２５ａ  端部
２６  門形金具
２６ａ  上壁
２６ｂ  側壁
２６ｃ  端部
【図１】
2019167815.tif 000003
【図２】
2019167815.tif 000004
【図３】
2019167815.tif 000005
【図４】
2019167815.tif 000006
【図５】
2019167815.tif 000007
【図６】
2019167815.tif 000008
【図７】
2019167815.tif 000009
【図８】
2019167815.tif 000010
【図９】
2019167815.tif 000011